(57)【要約】      （修正有）【課題】接続される空気調和機に関わらず、操作性の良い空調用リモートコントローラを得る。【解決手段】制御手段は、設定温度を２つ設定して行う運転制御に対応する空気調和機が接続されているか否かを判定する判定処理を行い、空気調和機がこの運転制御に対応すると判定した場合には、設定温度（二値）２３ｂが設定温度表示領域２３に表示されるように表示手段６０を制御し、空気調和機がこの運転制御に対応しないと判定した場合には、設定温度（一値）２３ａが設定温度表示領域２３に表示されるように表示手段６０を制御する。また、制御手段は、この判定処理の結果に関わらず、スケジュール設定画面２０のうち、設定温度（一値）２３ａの表示位置及び設定温度表示領域２３を除いた他の表示領域の表示位置が同一となるように表示手段６０を制御する。【選択図】図４
2014105950.tif 000002
【特許請求の範囲】
【請求項１】
空気調和機に接続される空調用リモートコントローラにおいて、
表示手段と、
前記空気調和機及び前記表示手段を制御する制御手段と、を備え、
前記表示手段には、
第１設定温度及び第２設定温度の少なくともいずれかが表示される設定温度表示領域と、該設定温度表示領域以外の情報が表示される他の表示領域とが設けられ、
前記制御手段は、
前記空気調和機が、設定温度を２つ設定して行う運転制御に対応するか否かを判定する判定処理を行い、
前記判定処理において、前記空気調和機が前記運転制御に対応すると判定した場合には、前記第１設定温度及び前記第２設定温度が前記設定温度表示領域内に表示されるように前記表示手段を制御し、
前記判定処理において、前記空気調和機が前記運転制御に対応しないと判定した場合には、前記第１設定温度が前記設定温度表示領域内に表示されるように前記表示手段を制御し、
前記判定処理の結果に関わらず、前記第１設定温度の表示位置及び前記他の表示領域の表示位置が同一となるように前記表示手段を制御する
ことを特徴とする空調用リモートコントローラ。
【請求項２】
前記表示手段には、
前記空気調和機の制御に関する曜日、実行時刻、運転及び停止の切替設定、並びに前記第１設定温度及び前記第２設定温度を設定するためのスケジュール設定画面が表示される  ことを特徴とする請求項１記載の空調用リモートコントローラ。
【発明の詳細な説明】
【技術分野】
【０００１】
本発明は、空調用リモートコントローラに関する。
【背景技術】
【０００２】
従来の空調用リモートコントローラには、運転／停止ボタン、運転モードボタン、設定温度増加ボタン、設定温度減少ボタン、風速ボタンなどのボタンを操作することで、表示手段に表示された運転モード、設定温度、風速などの空気調和器の運転状態を変更することができるものがあった（例えば、特許文献１）。
特許文献１における空調用リモートコントローラにおいては、現在設定されている設定温度が表示手段に表示され、設定温度増加ボタンを１回操作する度に設定温度を１度上げることができ、設定温度減少ボタンを１回操作する度に設定温度を１度下げることができるようになっている。また、上述したようなボタンを操作したタイミングでなくとも、予め決められた時刻に到達したなどの条件で、運転／停止、設定温度等を変更するように空気調和機を制御する、スケジュール機能やタイマー機能などのアプリケーションが搭載されている。
【０００３】
また、従来の空気調和システムには、上限の設定温度と下限の設定温度とを設定し、室内温度が上限の設定温度を上回る場合には、空気調和機を冷房運転に切り替えて室内温度が上限の設定温度を上回らないように制御し、また、室内温度が下限の設定温度を下回る場合には、空気調和機を暖房運転に切り替えて室内温度が下限の設定温度を下回らないように制御する、いわゆるセットバック制御を行う集中コントローラを備えたものがあった（例えば、特許文献２）。
【先行技術文献】
【特許文献】
【０００４】
【特許文献１】特開２００９−２２９００９号公報（［００３８］、［００３９］、図７）
【特許文献２】ＷＯ２０１１／１０１８９２号公報（［００５１］、［００８０］、図７）
【発明の概要】
【発明が解決しようとする課題】
【０００５】
しかしながら、特許文献１に記載の空調用リモートコントローラでは、２つの設定温度を表示することができないという課題があった。
【０００６】
また、特許文献１に記載の空調用リモートコントローラや特許文献２に記載の空気調和システムの集中コントローラでは、これらに接続される空気調和機が、１つの設定温度のみ設定可能なものから２つの設定温度を設定可能なものに変更されると、この空調用リモートコントローラや集中コントローラの表示手段に表示される内容も追加されて操作性も変化する。そうすると、従来からの１つの設定温度のみ設定可能な空調用リモートコントローラを使い慣れた使用者にとっては、２つの設定温度を設定可能な空調用リモートコントローラを使いにくいと感じるという課題があった。
【０００７】
本発明は、上述のような課題を背景としてなされたもので、操作性の良い空調用リモートコントローラを提供することを目的とする。
【課題を解決するための手段】
【０００８】
本発明に係る空調用リモートコントローラは、空気調和機に接続される空調用リモートコントローラにおいて、表示手段と、前記空気調和機及び前記表示手段を制御する制御手段と、を備え、前記表示手段には、第１設定温度及び第２設定温度の少なくともいずれかが表示される設定温度表示領域と、該設定温度表示領域以外の情報が表示される他の表示領域とが設けられ、前記制御手段は、前記空気調和機が、設定温度を２つ設定して行う運転制御に対応するか否かを判定する判定処理を行い、前記判定処理において、前記空気調和機が前記運転制御に対応すると判定した場合には、前記第１設定温度及び前記第２設定温度が前記設定温度表示領域内に表示されるように前記表示手段を制御し、前記判定処理において、前記空気調和機が前記運転制御に対応しないと判定した場合には、前記第１設定温度が前記設定温度表示領域内に表示されるように前記表示手段を制御し、前記判定処理の結果に関わらず、前記第１設定温度の表示位置及び前記他の表示領域の表示位置が同一となるように前記表示手段を制御するものである。
【発明の効果】
【０００９】
本発明によれば、接続される空気調和機に関わらず、操作性の良い空調用リモートコントローラを得ることができる。
【図面の簡単な説明】
【００１０】
【図１】本発明の実施の形態１に係る空調用リモートコントローラを含むシステム構成図である。
【図２】本発明の実施の形態１に係る空調用リモートコントローラを示す正面図である。
【図３】本発明の実施の形態１に係る空調用リモートコントローラの制御ブロック図である。
【図４】本発明の実施の形態１に係る空調用リモートコントローラの表示手段に表示されるスケジュール設定画面の表示例である。
【図５】本発明の実施の形態１に係る空調用リモートコントローラのスケジュール設定画面を描画する際の動作のフローチャートを示す。
【図６】本発明の実施の形態１に係る空調用リモートコントローラのスケジュール設定画面で内容−ボタン表示、内容＋ボタン表示に対応するファンクションボタンが操作された際の表示手段の描画更新（表示更新）動作のフローチャートを示す。
【発明を実施するための形態】
【００１１】
実施の形態１．
図１は、本発明の実施の形態１に係る空調用リモートコントローラ１を含むシステム構成図である。
図１に示されるように、空調用リモートコントローラ１は、室内機８０及び室外機９０を備えた空気調和機１００に接続されている。具体的には、空調用リモートコントローラ１が室内機８０に接続され、室内機８０が室外機９０に接続されている。空調用リモートコントローラ１は、空気調和機１００の設定操作、状態の表示等を行う。
【００１２】
図２は、本発明の実施の形態１に係る空調用リモートコントローラ１を示す正面図である。
図２に示されるように、空調用リモートコントローラ１は、運転ランプ３と、ファンクションボタン４，５，６，７と、メニューボタン８と、戻るボタン９と、決定ボタン１０と、運転／停止ボタン１１と、表示手段６０とを備える。表示手段６０は、例えば液晶や有機ＥＬで構成され、空気調和機１００の設定温度や運転モード等の内容を表示したり、操作に応じた画面を切り替え表示するものである。
【００１３】
運転ランプ３は、例えば、空気調和機１００の運転中に点灯し、空気調和機１００の運転停止中に消灯することで、空気調和機１００の運転状態を識別表示するためのものである。ファンクションボタン４〜７は、運転モード切替、設定温度変更などの機能が割り当てられたボタンであり、操作により実行される内容は、表示手段６０の表示内容に応じて異なる。メニューボタン８は、表示手段６０にメニュー画面（図示省略）を表示するためのものである。ここでメニュー画面とは例えば、風向を変化させるためのメニュー、タイマー設定を行うメニュー、スケジュール設定を行うメニュー、省エネ設定を行うメニュー等が表示され、任意のメニューを選択可能な画面である。
【００１４】
戻るボタン９は、表示手段６０に表示されている画面の直前に表示されていた画面を表示させるためのボタンである。決定ボタン１０は、表示手段６０に表示されている内容を確定させるためのボタンである。運転／停止ボタン１１は、空気調和機１００の運転及び停止を切り替えるためのボタンである。
【００１５】
なお、ファンクションボタン４，５，６，７、メニューボタン８、戻るボタン９、決定ボタン１０、及び運転／停止ボタン１１として例えば、押しボタンや、静電容量式のタッチパネル等を採用できる。
【００１６】
図３は、本発明の実施の形態１に係る空調用リモートコントローラ１の制御ブロック図である。
図３に示されるように、空調用リモートコントローラ１は、操作手段４０と、制御手段５０と、記憶手段５０ａと、表示手段６０と、通信手段７０とを備える。
【００１７】
操作手段４０は、使用者からの操作を受け付けると、その操作に応じた情報を操作信号として制御手段５０に出力する。操作手段４０には、上述した、運転ランプ３、ファンクションボタン４，５，６，７、メニューボタン８、戻るボタン９、決定ボタン１０、及び運転／停止ボタン１１が含まれる。
【００１８】
制御手段５０は、操作手段４０から出力される操作信号に基づいて、表示手段６０及び通信手段７０の制御を行う。制御手段５０は、例えば、使用者によりメニューボタン８が操作されると、上述したメニュー画面を表示手段６０に表示させる表示制御を行う。制御手段５０は、例えば、この機能を実現する回路デバイスなどのハードウェアや、マイコンやＣＰＵなどの演算装置上で実行されるソフトウェアで構成される。
【００１９】
記憶手段５０ａは、例えば表示手段６０に表示するための設定内容や、この設定内容に関する画像データを一時的または長期的に記憶しており、制御手段５０の制御内容に合わせて適宜読み出されて表示手段６０に表示される。記憶手段５０ａは、ＨＤＤ（Ｈａｒｄ  Ｄｉｓｋ  Ｄｒｉｖｅ）やフラッシュメモリ等の任意の記憶媒体により構成される。なお、記憶手段５０ａは、制御手段５０内に設けられていても、制御手段５０とは別に設けられていてもよい。
【００２０】
表示手段６０は、制御手段５０から出力された表示制御信号に基づいて、上述したような空気調和機１００の設定温度や運転モード等の内容を表示する。通信手段７０は、空調用リモートコントローラ１と室内機８０（空気調和機１００）との間でデータが送受信されるように媒介するものである。通信手段７０は、ＬＡＮインターフェースなどの任意のネットワークインターフェースにより構成される。
【００２１】
図４は、本発明の実施の形態１に係る空調用リモートコントローラ１の表示手段６０に表示されるスケジュール設定画面２０の表示例である。
図４（ａ）は、２つの設定温度を設定可能な空気調和機１００が空調用リモートコントローラ１に接続された場合のスケジュール設定画面２０の表示例である。
図４（ｂ）は、１つの設定温度を設定可能な空気調和機１００が空調用リモートコントローラ１に接続された場合のスケジュール設定画面２０の表示例である。
スケジュール設定画面２０は、例えば曜日ごとに時間、運転／停止、設定温度の設定データを関連づけて設定するための画面である。スケジュール設定画面２０で関連付けて設定された設定データは１つのパターンとして記憶手段５０ａに記憶される。そして設定された曜日及び時間になると、制御手段５０は、この曜日や時間に関連付けられて設定された設定データに関する信号を記憶手段５０ａから読み出して空気調和機１００に送信する。空気調和機１００は、空調用リモートコントローラ１から受信した設定データに基いて動作する。
図４（ａ）及び図４（ｂ）に示されるように、表示手段６０は、空調用リモートコントローラ１に接続される空気調和機１００によって、スケジュール設定画面２０の表示内容を変えることができる。
なお、以後の説明において、上述の「２つの設定温度」を単に「二値」と称することがある。また、上述の「１つの設定温度」を単に「一値」と称することがある。
【００２２】
図４（ａ）、図４（ｂ）に示されるようなスケジュール設定画面２０は、例えば、図２のメニューボタン８の操作により表示されるメニュー画面（図示省略）において、スケジュール設定画面２０に遷移するための操作が行われることで表示される。スケジュール設定画面２０への遷移は例えば、ファンクションボタン４，５，６，７の操作によりスケジュール設定画面２０へ遷移するメニューが選択された状態で、決定ボタン１０が操作されることにより行われる。
空調用リモートコントローラ１に接続される空気調和機１００を、２つの設定温度を設定可能なものから１つの設定温度のみ設定可能なものに変えることで、スケジュール設定画面２０は、図４（ａ）から図４（ｂ）のように変わる。一方、空調用リモートコントローラ１に接続される空気調和機１００を、１つの設定温度を設定可能なものから２つの設定温度を設定可能なものに変えることで、スケジュール設定画面２０は、図４（ｂ）から図４（ａ）のように変わる。
【００２３】
図４（ａ）に示されるように、スケジュール設定画面２０には、曜日毎に複数のパターンが表示され、パターン毎に実行時刻２１、運転／停止２２、設定温度表示領域２３の設定温度（一値）２３ａや設定温度（二値）２３ｂの設定を変更可能になっている。設定温度（一値）２３ａには設定温度が１つ設定され、設定温度（二値）２３ｂには設定温度が２つ設定される。
図４（ａ）に示されるように、２つの設定温度を設定可能な空気調和機１００が空調用リモートコントローラ１に接続された場合、運転／停止２２で「運転」、「停止」、「自動」、「−−（設定無し）」の中から選択できるようになっている。
図４（ｂ）に示されるように、１つの設定温度のみを設定可能な空気調和機１００が空調用リモートコントローラ１に接続された場合、運転／停止２２で「運転」、「停止」、「−−（設定無し）」の中から選択できるようになっている。
【００２４】
ここで、「運転」とは例えば、制御手段５０が、室内温度を設定された目標温度に近づけるように空気調和機１００を制御することであり、冷房運転や暖房運転を含む。
また、「停止」とは例えば、制御手段５０が、空気調和機１００の運転を停止させるように制御することを指す。
また、「自動」とは、制御手段５０が、室内温度が上限の設定温度を上回る場合には、空気調和機を冷房運転に切り替えて室内温度が上限の設定温度を上回らないように制御し、また、室内温度が下限の設定温度を下回る場合には、空気調和機を暖房運転に切り替えて室内温度が下限の設定温度を下回らないように制御し、室内温度が上限の設定温度と下限の設定温度との間にあるときには送風運転のみ行われるように制御するものであり、いわゆるセットバック制御に相当する。
なお、図４（ａ）の説明では、運転／停止２２に対応する表示領域が小さい場合を想定し、上述のセットバック制御に対応する文字の表示を「自動」とする例について説明したが、他の文字であってもよい。例えば、設定された１つの温度に基づいて冷暖房を自動的に切り替える自動運転に対応するものではなく、上述のセットバック制御に対応するものであることを使用者により明確に認識させるために、「自動（二値）」や「セットバック」という文字で表現するようにしてもよい。
【００２５】
図４（ａ）では、カーソル３０がパターン１の実行時刻２１に位置し、実行時刻２１の設定値を変更可能になっている。なお、図４（ａ）ではパターンを曜日毎に４つ設定できるようになっているが、パターンの数はこれに限定されない。また、図４（ａ）及び図４（ｂ）に表示される各情報の表示位置の相違は、設定温度表示領域２３についてのみであり、他の部分については同一である。
【００２６】
図４（ａ）及び図４（ｂ）に示されるように、スケジュール設定画面２０の左下方には、カーソル下移動ボタン表示２５及びカーソル右移動ボタン表示２６が表示されている。スケジュール設定画面２０の右下方には、内容−ボタン表示２７及び内容＋ボタン表示２８が表示されている。
【００２７】
カーソル下移動ボタン表示２５は、図２のファンクションボタン４に割り当てられた機能を示すものであり、ファンクションボタン４を操作すればカーソル３０を下に移動させることを使用者に認識させるための表示である。
例えば、図４（ａ）に示されるように、カーソル３０がパターン１の実行時刻２１の表示領域に存在する状態でファンクションボタン４が操作されると、カーソル３０がパターン２の実行時刻２１の表示領域（「ＰＭ１７：００」）に移動する。
【００２８】
カーソル右移動ボタン表示２６は、図２のファンクションボタン５に割り当てられた機能を示すものであり、ファンクションボタン５を操作すればカーソル３０を右に移動させることを使用者に認識させるための表示である。
例えば、図４（ａ）に示されるように、カーソル３０がパターン１の実行時刻２１の表示領域に存在する状態でファンクションボタン５が操作されると、カーソル３０がパターン１の運転／停止２２の表示領域（「運転」）に移動する。
【００２９】
内容−ボタン表示２７は、図２のファンクションボタン６に割り当てられた機能を示すものであり、ファンクションボタン６を操作すればカーソル３０に対応する設定値を変更（減少）させることを使用者に認識させるための表示である。
例えば、図４（ａ）に示されるように、カーソル３０がパターン１の実行時刻２１（「ＡＭ１０：００」）の表示領域に存在する状態でファンクションボタン６が操作されると、「ＡＭ０９：５９」となり、変更後に決定ボタン１０を操作することで設定内容が更新される。
また例えば、カーソル３０がパターン１の運転／停止２２（「運転」）の表示領域に存在する状態で、ファンクションボタン６が操作されると、操作される度に「運転」、「停止」、「自動」の表示が切り替わる。切り替え順は任意である。変更後に決定ボタン１０が操作されると設定内容が更新される。
また例えば、カーソル３０がパターン１の設定温度（一値）２３ａ（「２７℃」）に存在する状態で、ファンクションボタン６が操作されると、「２６℃」となり、変更後に決定ボタン１０を操作することで設定内容が更新される。
【００３０】
なお、カーソル３０がパターン１の運転／停止２２（「運転」）の表示領域に存在する状態で、ファンクションボタン６が操作されることで「停止」となる例について説明したが、これに限定されない。例えば、カーソル３０がパターン１の実行時刻２１（「運転」）の表示領域に存在する状態で、ファンクションボタン６が操作されると、「自動」となるようにしてもよい。
【００３１】
内容＋ボタン表示２８は、図２のファンクションボタン７に割り当てられた機能を示すものであり、ファンクションボタン７を操作すればカーソル３０に対応する設定値を変更（増加）させることを使用者に認識させるための表示である。
例えば、図４（ａ）に示されるように、カーソル３０がパターン１の実行時刻２１（「ＡＭ１０：００」）の表示領域に存在する状態で、ファンクションボタン７が操作されると、「ＡＭ１０：０１」となり、変更後に決定ボタン１０を操作することで設定内容が更新される。
また例えば、カーソル３０がパターン１の運転／停止２２（「運転」）の表示領域に存在する状態で、ファンクションボタン７が操作されると、操作される度に「運転」、「停止」、「自動」の表示が切り替わる。切り替え順は任意である。変更後に決定ボタン１０が操作されると設定内容が更新される。
また例えば、カーソル３０がパターン１の設定温度（一値）２３ａ（「２７℃」）に存在する状態で、ファンクションボタン７が操作されると、「２８℃」となり、変更後に決定ボタン１０を操作することで設定内容が更新される。
【００３２】
なお、カーソル３０がパターン１の運転／停止２２（「運転」）の表示領域に存在する状態で、ファンクションボタン７が操作されることで「自動」となる例について説明したが、これに限定されない。例えば、カーソル３０がパターン１の実行時刻２１（「運転」）の表示領域に存在する状態で、ファンクションボタン６が操作されると、「停止」となるようにしてもよい。
【００３３】
以下に、実行時刻２１、運転／停止２２、及び設定温度（一値）２３ａ又は設定温度（二値）２３ｂが設定されることにより行われる空気調和機１００の運転について、図４（ａ）に示されるパターン１及びパターン２を例に説明する。
パターン１では、実行時刻２１に「ＡＭ１０：００」、運転／停止２２に「運転」、設定温度（一値）２３ａに「２７℃」が表示されている。このとき、目標温度を２７℃とする運転が１０時００分から開始される。
パターン２では、実行時刻２１に「ＰＭ１７：００」、運転／停止２２に「自動」、設定温度（二値）２３ｂに「１８℃−２８℃」が表示されている。このとき、上限温度２８℃とし、下限温度１８℃とする運転が１７時００分から開始される。
【００３４】
上述したように、図４（ａ）は、二値設定可能である空気調和機１００が空調用リモートコントローラ１に接続された場合のスケジュール設定画面２０である。このため、カーソル３０が運転／停止２２の表示領域に存在する状態で、ファンクションボタン６又はファンクションボタン７が操作されると、運転／停止２２の表示領域に「自動」を表示させることできる。そして、運転／停止２２の表示領域に「自動」が表示されると、設定温度（二値）２３ｂが表示され、２つの設定温度を設定することができる。
一方、図４（ｂ）は、一値設定可能である空気調和機１００が空調用リモートコントローラ１に接続された場合のスケジュール設定画面２０である。このため、図４（ｂ）の表示例では、図４（ａ）のように、運転／停止２２の表示領域に「自動」を表示させることはできない。
【００３５】
また、ファンクションボタン６，７を一回操作することによる実行時刻２１等の値の変化幅は上述した内容に限定されず、任意の変化幅とすることができる。
例えば、ファンクションボタン６，７の操作による実行時刻２１の値の変化幅を、「１０分」や「２０分」等としてもよい。すなわち、ファンクションボタン６が一回操作されることで「ＡＭ１０：００」から「ＡＭ９：５０」に変化するようにしてもよい。
また例えば、ファンクションボタン６，７の操作による設定温度（一値）２３ａの値の変化幅を、「０．１℃」や「２℃」等としてもよい。すなわち、ファンクションボタン６が一回操作されることで「２７℃」から「２６．９℃」に変化するようにしてもよい。
【００３６】
また、カーソル下移動ボタン表示２５、カーソル右移動ボタン表示２６、内容−ボタン表示２７、及び内容＋ボタン表示２８と、ファンクションボタン４〜７との対応関係は、上述の組み合わせに限定されない。例えば、ファンクションボタン４とカーソル右移動ボタン表示２６とが対応関係となっていてもよい。
【００３７】
なお、設定温度表示領域２３が、本発明の「温度表示領域」に相当する。
また、スケジュール設定画面２０のうち、設定温度表示領域２３を除いた領域が、本発明の「他の表示領域」に相当する。
【００３８】
図５は、本発明の実施の形態１に係る空調用リモートコントローラ１のスケジュール設定画面２０を描画する際の動作のフローチャートを示す。メニュー画面でスケジュール設定画面に遷移する操作が行われることでスケジュール設定画面２０に遷移する。こうして遷移したスケジュール設定画面２０の描画開始後のステップＳ３０１〜ステップＳ３０７について順に説明する。
【００３９】
（ステップＳ３０１〜Ｓ３０６）
まず、制御手段５０は、描画位置を「パターン１」の描画開始座標に設定し（ステップＳ３０１）、描画しようとするパターンの運転／停止２２の設定が「自動」であるか否かを判定する（ステップＳ３０２）。具体的には、制御手段５０は、記憶手段５０ａに記憶されている「運転」、「停止」、「自動」、「−−（設定無し）」の中から読み出されて描画されている設定が「自動」であるか否かを判定する。
制御手段５０は、描画しようとするパターンの運転／停止２２の設定が「自動」でないと判定すると（ステップＳ３０２でＮｏ）、一値のみ設定可能であるため、設定温度（二値）２３ｂが非表示となる描画、すなわち設定温度（一値）２３ａを表示する描画を行う（ステップＳ３０３）。
制御手段５０は、設定温度（一値）２３ａを描画した後にこのパターンの残りの設定を描画して描画位置を次のパターンの描画開始座標にインクリメントし（ステップＳ３０４）、スケジュール設定画面２０で全パターンの描画の完了の有無を判定し（ステップＳ３０５）、全パターンの描画を完了するまでステップＳ３０２〜Ｓ３０５を繰り返す。
制御手段５０は、スケジュール設定画面２０で表示する全パターンの描画が完了したと判定すると（ステップＳ３０５でＹｅｓ）、カーソル下移動ボタン表示２５、カーソル右移動ボタン表示２６、内容−ボタン表示２７、内容＋ボタン表示２８などのパターン表示領域以外を描画し（ステップＳ３０６）、スケジュール設定画面２０の描画を終了する。
【００４０】
（ステップＳ３０７）
制御手段５０は、描画しようとするパターンの運転／停止２２の設定が「自動」以外であると判定すると（ステップＳ３０２でＹｅｓ）、二値設定可能であるため、設定温度（二値）２３ｂを表示する描画を行い、ステップＳ３０４に進む。
【００４１】
図６は、本発明の実施の形態１に係る空調用リモートコントローラ１のスケジュール設定画面２０で内容−ボタン表示２７、内容＋ボタン表示２８に対応するファンクションボタン７が操作された際の表示手段６０の描画更新（表示更新）動作のフローチャートを示す。ステップＳ４０１〜Ｓ４１３について順に説明する。
【００４２】
（ステップＳ４０１〜Ｓ４０６）
制御手段５０は、カーソル３０が実行時刻２１に位置するか否かを判定し（ステップＳ４０１）、カーソル３０が実行時刻２１に位置しないと判定すると（ステップＳ４０１でＮｏ）、カーソル３０の位置が運転／停止２２にあるか否かを判定する（ステップＳ４０２）。
制御手段５０は、カーソル３０が運転／停止２２に位置していると判定した場合に（ステップＳ４０２でＹｅｓ）、空調用リモートコントローラ１に接続される空気調和機１００が二値設定可能であるか否かを判定する（ステップＳ４０３）。具体的には、制御手段５０は、二値設定可能であるか否かを問い合わせる信号を空気調和機１００に送信し、この信号を受信した空気調和機１００は、二値設定可能であるか否かを示す信号を制御手段５０に送信する。そして、制御手段５０は、記憶手段５０ａに記憶されている信号に基づいて、空気調和機１００から送信された信号が二値設定可能であることを示す信号であるか否かを判定する。
制御手段５０は、空調用リモートコントローラ１に接続される空気調和機１００が二値設定可能であると判定すると（ステップＳ４０３でＹｅｓ）、運転／停止２２で「運転」、「停止」、「自動」、「−−（設定無し）」の中から使用者が選択できるように表示手段６０を制御する（ステップＳ４０４）。
次に、制御手段５０は、運転／停止２２で「自動」が選択されたか否かを判定し（ステップＳ４０５）、運転／停止２２で「自動」が選択されたと判定すると（ステップＳ４０５でＹｅｓ）、設定温度（二値）２３ｂを表示する描画が行われるように表示手段６０に制御する（ステップＳ４０６）。
【００４３】
（ステップＳ４０７）
制御手段５０は、カーソル３０が実行時刻２１に位置していると判定すると（ステップＳ４０１でＹｅｓ）、表示中の実行時刻２１の設定値を増減させた値を描画するように表示手段６０を制御する（ステップＳ４０７）。
【００４４】
（ステップＳ４０８〜Ｓ４１０）
制御手段５０は、カーソル３０が運転／停止２２に位置してないと判定した場合には（ステップＳ４０２でＮｏ）、カーソル３０が設定温度（一値）２３ａに位置しているか否かを判定する（ステップＳ４０８）。
制御手段５０は、カーソル３０が設定温度（一値）２３ａに位置していると判定した場合には（ステップＳ４０８でＹｅｓ）、設定温度（一値）２３ａの設定値を増減させた値を描画するように表示手段６０を制御する（ステップＳ４０９）。
一方、制御手段５０は、カーソル３０が設定温度（一値）２２に位置していないと判定した場合には（ステップＳ４０８でＮｏ）、設定温度（二値）２３ｂの設定値を増減させた値を描画するように表示手段６０を制御する（ステップＳ４１０）。
【００４５】
（ステップＳ４１１〜Ｓ４１３）
制御手段５０は、空調用リモートコントローラ１に接続される空気調和機１００が二値設定不可であると判定した場合には（ステップＳ４０３でＮｏ）、運転／停止２２で「運転」、「停止」、「−−（設定無し）」の中から使用者が選択できるように表示手段６０を制御する（ステップＳ４１１）。
次に、制御手段５０は、運転／停止２２の「運転」に設定されているかどうかを判定する（ステップＳ４１２）。制御手段５０は、運転／停止２２の「運転」に設定されていると判定すると（ステップＳ４１２でＹｅｓ）、設定温度表示領域２３に設定温度（一値）２３ａを表示する描画が行われるように表示手段６０を制御し（ステップＳ４１３）、運転／停止２２の「運転」に設定されていないと判定すると終了する（ステップＳ４１２でＮｏ）。
なお、ステップＳ４１２の判定は、制御手段５０が、「自動」が選択されなかったと判定した場合（ステップＳ４０５でＮｏ）も同様に行われる。
【００４６】
運転／停止２２の設定が「自動」に設定され、設定温度表示領域２３に設定温度（二値）２３ｂが設定された状態で、図６のフローチャートが終了し、実行時刻２１に設定された時刻に到達してパターンが実行される場合には、空調用リモートコントローラ１は空気調和機１００に「運転／停止：運転＋運転モード：設定された運転モード」と設定された設定温度の二値（冷房設定温度及び暖房設定温度）を送信する。
【００４７】
以上のように、本実施の形態１に係る空調用リモートコントローラ１は、表示手段６０には、設定温度（一値）２３ａ、設定温度（二値）２３ｂが表示される設定温度表示領域２３と、設定温度表示領域２３を除いた他の表示領域とが設けられ、制御手段５０が、設定温度を２つ設定して行う運転制御に対応する空気調和機１００が接続されているか否かを判定する判定処理を行う。
そして、制御手段５０は、この判定処理において、空気調和機１００がこの運転制御に対応すると判定した場合には、設定温度（二値）２３ｂが設定温度表示領域２３に表示されるように表示手段６０を制御する。また、制御手段５０は、この判定処理において、空気調和機１００がこの運転制御に対応しないと判定した場合には、設定温度（一値）２３ａが設定温度表示領域２３に表示されるように表示手段６０を制御する。また、制御手段５０は、この判定処理の結果に関わらず、スケジュール設定画面２０のうち、設定温度（一値）２３ａの表示位置及び他の表示領域の表示位置が同一となるように表示手段６０を制御する。
このため、空調用リモートコントローラ１が、二値設定可能でない旧型の空気調和機に接続された場合には、設定温度（一値）２３ａのみ表示され、使用者は従来と同様にスケジュール設定画面２０内を操作することができる。
また、空調用リモートコントローラ１が、二値設定可能である空気調和機に接続された場合には、従来のスケジュール設定画面２０の操作性を維持したまま、設定温度（二値）２３ｂが表示され、限られた表示領域で二つの設定温度を表示することができる。
したがって、接続される空気調和機１００に関わらず、操作性の良い空調用リモートコントローラ１を得ることができる。
【００４８】
なお、本実施の形態１では、空気調和機１００と接続されたワイヤードの空調用リモートコントローラの例について説明したが、無線で空気調和機１００を制御するワイヤレスリモコンや、パソコンなどに搭載されるアプリケーションにも適用できる。また、例えば設定温度を設定するとその設定内容が直ちに反映されるような、スケジュール機能以外の制御アプリケーションにも適用できる。
【符号の説明】
【００４９】
１  空調用リモートコントローラ、３  運転ランプ、４〜７  ファンクションボタン、８  メニューボタン、９  戻るボタン、１０  決定ボタン、１１  運転／停止ボタン、２０  スケジュール設定画面、２１  実行時刻、２２  運転／停止、２３  設定温度表示領域、２３ａ  設定温度（一値）、２３ｂ  設定温度（二値）、２５  カーソル下移動ボタン表示、２６  カーソル右移動ボタン表示、２７  内容−ボタン表示、２８  内容＋ボタン表示、３０  カーソル、４０  操作手段、５０  制御手段、５０ａ  記憶手段、６０  表示手段、７０  通信手段、８０  室内機、９０  室外機、１００  空気調和機。
【図１】
2014105950.tif 000003
【図２】
2014105950.tif 000004
【図３】
2014105950.tif 000005
【図４】
2014105950.tif 000006
【図５】
2014105950.tif 000007
【図６】
2014105950.tif 000008